(57)【要約】  【課題】  温水暖房装置での複数の種類のエラー表示を複数の表示灯により行わせ、メンテナンス性の向上を図ることができ、またコストの低減等を図ること。  【解決手段】  サービスマンが水張りスイッチ４２及び熱動弁スイッチ４４を同時に所定時間押し、エラー表示切替スイッチとして動作させる毎に、マイクロコンピュータ４１はエラー内容を記憶するＥＥＰＲＯＭ４８から読み出して、エラーの発生時刻が最新のものから過去のエラーにさかのぼって、エラー内容を表示するエラー番号が順次熱弁ランプ３１、３２、３３または３４の点灯、消灯により、二進法により表示される。  【選択図】  図４
2006153385.tif 000002
【特許請求の範囲】
【請求項１】
空気調和機の室外ユニットと、この室外ユニットから供給される冷媒と暖房循環水との熱交換を行う熱交換器を有する温水ユニットとを備え、この温水ユニットの暖房循環水を循環ポンプにより床暖房パネル等に供給する温水暖房装置において、当該温水暖房装置の異常内容を点灯と消灯との組み合わせにより表示する複数のランプを設けたことを特徴とする温水暖房装置。
【請求項２】
空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示すると共に当該温水暖房装置の異常内容を表す異常内容の番号を点灯と消灯との組み合わせによる２進数により表示する複数の熱動弁ランプとを設けたことを特徴とする温水暖房装置。
【請求項３】
空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示する複数の熱動弁ランプと、当該温水暖房装置の異常内容を記憶する記憶装置と、この記憶装置に記憶された異常内容を表す異常内容の番号を点灯と消灯との組み合わせによる２進数により前記複数の熱動弁ランプを点灯又は消灯させるように制御する制御装置とを設けたことを特徴とする温水暖房装置。
【請求項４】
空気調和機の室外ユニットと、この室外ユニットから供給される冷媒と暖房循環水との熱交換を行う熱交換器を有する温水ユニットとを備え、この温水ユニットの暖房循環水を循環ポンプにより床暖房パネル等に供給する温水暖房装置において、当該温水暖房装置の異常内容を点灯と消灯との組み合わせにより最新のものから古い順に順次表示する複数のランプと、これらの複数のランプが最新のものを表示しているときに表示するランプとを設けたことを特徴とする温水暖房装置。
【請求項５】
空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示すると共に当該温水暖房装置の異常内容を表す異常内容の番号を点灯と消灯との組み合わせによる２進数により最新のものから古い順に順次表示する複数の熱動弁ランプと、これらの複数の熱動弁ランプが最新のものを表示しているときに表示するランプとを設けたことを特徴とする温水暖房装置。
【請求項６】
空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示する複数の熱動弁ランプと、当該温水暖房装置の異常内容を記憶する記憶装置と、この記憶装置に記憶された異常内容を表す異常内容の番号を点灯と消灯との組み合わせによる２進数により最新のものから古い順に順次表示するように前記複数の熱動弁ランプを制御する制御装置とを設けたことを特徴とする温水暖房装置。
【請求項７】
空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示する複数の熱動弁ランプと、当該温水暖房装置の異常内容を記憶する記憶装置と、この記憶装置に記憶された異常内容を表す異常内容の番号を点灯と消灯との組み合わせによる２進数により最新のものから古い順に順次表示するように前記複数の熱動弁ランプを制御する制御装置と、この制御装置により複数の熱動弁ランプが最新のものを表示しているときに表示するランプとを設けたことを特徴とする温水暖房装置。
【請求項８】
空気調和機の室外ユニットと、この室外ユニットから供給される冷媒と暖房循環水との熱交換を行う熱交換器を有する温水ユニットとを備え、この温水ユニットの暖房循環水を循環ポンプにより床暖房パネル等に供給する温水暖房装置において、前記各床暖房パネルに対応して設けられ、各床暖房パネルへ温水を供給している状態を表示すると共にこの状態の表示後に表示切替動作に基づいて当該温水暖房装置の異常内容を点灯と消灯との組み合わせにより表示する複数のランプとを設けたことを特徴とする温水暖房装置。
【請求項９】
空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示すると共にこの状態の表示後に表示切替動作に基づいて当該温水暖房装置の異常内容を点灯と消灯との組み合わせにより表示する複数の熱動弁ランプとを設けたことを特徴とする温水暖房装置。
【発明の詳細な説明】
【技術分野】
【０００１】
本発明は、空気調和機の室外ユニットと、この室外ユニットから供給されるＨＦＣ、ＣＯ２等の冷媒と暖房循環水との熱交換を行う熱交換器を有する温水ユニットとを備え、この温水ユニットの暖房循環水を循環ポンプにより熱動弁を介して床暖房パネル等に供給する温水暖房装置に関する。
【背景技術】
【０００２】
特許文献１にて開示されている温水暖房システムにおいては、循環ポンプを有する熱源機の温水を熱動弁を介して循環供給させて暖房する温水エアコン、温水床マットなどの暖房負荷を備え、熱源機に設けられた制御基板は、制御装置、運転表示灯、燃焼表示灯、７セグメント表示器を備えている。この７セグメント表示器は、熱源機に異常が発生したときにエラー記号等でその旨を表示していた。また、途中消火、循環水（温水）の漏れ、異常加熱又はミス消火等の異状が発生したときに、７セグメント表示器に、それぞれの異常に対応した異なるエラー記号を表示していた。
【特許文献１】特開２００２−１６２０５１号公報
【発明の開示】
【発明が解決しようとする課題】
【０００３】
このとき、７セグメント表示器に上述したような異常の表示の他に表示する情報がない場合には、エラー表示のためにのみ７セグメント表示器を設けなければならなかった。また、７セグメント表示器によるコストの上昇、制御基板の面積の増加という問題が発生していた。
【０００４】
そこで本発明は、温水暖房装置での複数の種類のエラー表示を７セグメント表示器ではなく他の複数の表示灯により行わせ、コストの低減等を図ることを目的とする。
【課題を解決するための手段】
【０００５】
このため第１の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより床暖房パネル等に供給する温水暖房装置において、当該温水暖房装置の異常内容を点灯と消灯との組み合わせにより表示する複数のランプを設けたことを特徴とする。
【０００６】
第２の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示すると共に当該温水暖房装置の異常内容を表す異常内容の番号を点灯と消灯との組み合わせによる２進数により表示する複数の熱動弁ランプとを設けたことを特徴とする。
【０００７】
第３の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示する複数の熱動弁ランプと、当該温水暖房装置の異常内容を記憶する記憶装置と、この記憶装置に記憶された異常内容を表す異常内容の番号を点灯と消灯との組み合わせによる２進数により前記複数の熱動弁ランプを点灯又は消灯させるように制御する制御装置とを設けたことを特徴とする。
【０００８】
第４の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより床暖房パネル等に供給する温水暖房装置において、当該温水暖房装置の異常内容を点灯と消灯との組み合わせにより最新のものから古い順に順次表示する複数のランプと、これらの複数のランプが最新のものを表示しているときに表示するランプとを設けたことを特徴とする。
【０００９】
第５の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示すると共に当該温水暖房装置の異常内容を表す異常内容の番号を点灯と消灯との組み合わせによる２進数により最新のものから古い順に順次表示する複数の熱動弁ランプと、これらの複数の熱動弁ランプが最新のものを表示しているときに表示するランプとを設けたことを特徴とする。
【００１０】
第６の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示する複数の熱動弁ランプと、当該温水暖房装置の異常内容を記憶する記憶装置と、この記憶装置に記憶された異常内容を表す異常内容の番号を点灯と消灯との組み合わせによる２進数により最新のものから古い順に順次表示するように前記複数の熱動弁ランプを制御する制御装置とを設けたことを特徴とする。
【００１１】
第７の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示する複数の熱動弁ランプと、当該温水暖房装置の異常内容を記憶する記憶装置と、この記憶装置に記憶された異常内容を表す異常内容の番号を点灯と消灯との組み合わせによる２進数により最新のものから古い順に順次表示するように前記複数の熱動弁ランプを制御する制御装置と、この制御装置により複数の熱動弁ランプが最新のものを表示しているときに表示するランプとを設けたことを特徴とする。
【００１２】
第８の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより床暖房パネル等に供給する温水暖房装置において、前記各床暖房パネルに対応して設けられ、各床暖房パネルへ温水を供給している状態を表示すると共にこの状態の表示後に表示切替動作に基づいて当該温水暖房装置の異常内容を点灯と消灯との組み合わせにより表示する複数のランプとを設けたことを特徴とする。
【００１３】
第９の発明は、空気調和機の室外ユニットと、この室外ユニットから供給される冷媒と暖房循環水との熱交換を行う熱交換器を有する温水ユニットとを備え、この温水ユニットの暖房循環水を循環ポンプにより複数の床暖房パネル等に供給する温水暖房装置において、前記循環ポンプにより供給される温水を開くことにより各床暖房パネルに供給する複数の熱動弁と、この熱動弁毎にその動作状態を表示すると共にこの状態の表示後に表示切替動作に基づいて当該温水暖房装置の異常内容を点灯と消灯との組み合わせにより表示する複数の熱動弁ランプとを設けたことを特徴とする。
【発明の効果】
【００１４】
本発明によれば、温水暖房装置での複数の種類のエラー表示を複数の表示灯により行わせ、メンテナンス性の向上を図ることができ、またコストの低減等を図ることができる。
【発明を実施するための最良の形態】
【００１５】
以下、本発明の実施の形態を図面に基づき説明する。図１は温水暖房装置としてのヒートポンプ式給湯装置の全体システムを示す系統図である。この図1において、１はＨＦＣ、ＣＯ２等の冷媒を高温、高圧に圧縮するコンプレッサ（圧縮機）、四方切替弁、室外側熱交換器、減圧装置等が順次配管接続された冷媒回路と室外側送風機等（何れも図示せず）が内蔵された室外ユニット、２は前記室外ユニット１の冷媒回路の配管接続部Ｔ１及びＴ２に冷媒配管にて接続され室内側熱交換器と室内側送風機等（何れも図示せず）が内蔵された室内ユニットであり、室内ユニット２は室外ユニット１から冷媒配管を介して冷媒が供給される室内側熱交換器と室内空気を熱交換し、室内に温風又は冷風を供給するものである。この室外ユニット１と室内ユニット２とでヒートポンプ式空気調和機が構成されている。３はこのヒートポンプ式空気調和機の室外ユニット１を熱源とする温水ユニットで、室外ユニット１から供給される冷媒と暖房循環水との熱交換を行う。
【００１６】
前記温水ユニット３は室外ユニット１の冷媒回路の配管接続部Ｔ１及びＴ２に冷媒配管にて接続された冷媒側コイル４Ａと温水側コイル４Ｂとからなる熱交換器４と、温水側コイル４Ｂの暖房循環水を温水負荷としての床暖房パネル５、６、７、８に強制的に循環させるための循環ポンプ９と、その循環路中に設けた水位センサ２３付きの膨張タンク１０と、バイパス配管１０Ａを内蔵している。また、暖房循環水の往き側には熱動弁１１、１２、１３、１４を介して温水負荷としての床暖房パネル５、６、７、８が並列接続されている。
【００１７】
１５は熱交換器４の温水側コイル４Bで高温に昇温された暖房循環水の往き温度を検出する温度検出装置としてのサーミスタ、１６は暖房循環水の戻り温度を検出する温度検出装置としてのサーミスタ、１７は冷媒温度を検出するための温度検出装置としてのサーミスタである。
【００１８】
１８は台所等に設置されるメインリモートコントローラ（以下、「メインリモコン」という）であり、前記サーミスタ１５で検出する暖房循環水の制御温度を設定する摘み１８ａ、運転スイッチ１８ｂ、運転ランプ１８ｃ等が設けられている。１９、２０、２１、２２は前記床暖房パネル５、６、７、８に対応して床暖房を行う部屋に設置している床暖房リモートコントローラ（以下、「床暖房リモコン」という）であり、運転スイッチ１９ａ、２０ａ、２１ａ、２２ａ、室温センサ１９ｂ、２０ｂ、２１ｂ、２２ｂ等が設けられている。
【００１９】
図２に示すように、前記温水ユニット３内にはメイン基板Ｋが設けられ、このメイン基板Ｋにはマイクロコンピュータ４１、水張り動作をするための水張りスイッチ４２、応急運転スイッチ４３、全ての熱動弁１１〜１４を開かせるための熱動弁スイッチ４４、運転中に点灯する運転ランプ４５、水張り動作なかに点灯する水張りランプ４６、応急運転スイッチ４３の操作に基づく応急運転中に点灯する応急運転ランプ４７、横に並んだ熱動弁ランプ３１、３２、３３、３４等が設けられるとともに、基板端子には循環ポンプ９、熱動弁１１、１２、１３、１４、サーミスタ１５、１６、１７、メインリモコン１８、床暖房リモコン１９、２０、２１、２２、膨張タンク１０に取り付けられた水位センサ２３等が電気結線されている。
【００２０】
また、マイクロコンピュータ４１には、図３に示すように、ＣＰＵ、ＲＡＭ、ＲＯＭなどが内蔵されるとともに、上述した各床暖房リモコン１９〜２２、各サーミスタ１５〜１７、水張りスイッチ４２、応急運転スイッチ４３、熱動弁スイッチ４４及び水位センサ２３からの信号が入力されるとともに、室外ユニット１、循環ポンプ９、熱動弁１１〜１４、熱動弁ランプ３１〜３４、メインリモコン１８、運転ランプ４５、水張りランプ４６、応急運転ランプ４７に制御信号が出力される。また、マイクロコンピュータ４１には、本ヒートポンプ式給湯装置において異常が発生した場合に、最新の発生した異常の内容を最大１０個記憶する電気的消去可能な記憶装置としてのＥＥＰＲＯＭ４８が接続されている。
【００２１】
先ず、床暖房パネル５の暖房を行う場合、先ずメインリモコン１８の運転スイッチ１８ｂを操作すると、運転ランプ１８ｃが点灯する。その運転信号が温水ユニット３内のメイン基板Ｋ上のマイクロコンピュータ４１に入力されると、膨張タンク１０内の循環水の有無を検出する水位センサ２３からの水有り信号をマイクロコンピュータ４１が入力すると、循環ポンプ９を運転して循環水を循環させるとともに、室外ユニット１に暖房運転信号を指示して暖房運転させる。
【００２２】
そして、室外ユニット１が暖房運転することで、該室外ユニット１内のコンプレッサが運転して高温、高圧の冷媒が熱交換器４の冷媒側コイル４Ａに供給され、温水側コイル４Ｂを流れる暖房循環水を加熱すると共に温水ユニット３の循環ポンプ９を運転させる。このとき、サーミスタ１６で検出される暖房循環水の温度がメインリモコン１８の摘み１８ａで設定された設定温度になるように、マイクロコンピュータ４１が例えばコンプレッサをインバータ制御することにより熱交換器４での加熱量が制御され、前記循環ポンプ９の運転によるバイパス配管１０Ａを介する循環路内を温度が適度に調整された温水が循環する。
【００２３】
前記メインリモコン１８の運転スイッチ１８ｂをＯＮ（「オン」の意、以下同じ）した後、暖房したい部屋（例えばＡ室）に設置している床暖房リモコン１９の運転スイッチ１９ａをＯＮすると、対応している熱動弁１１がＯＮして開き、温水が床暖房パネル５に供給され、Ａ室の暖房が行われることとなる。このとき、熱動弁１１のＯＮと同時にこの熱動弁１１に対応する熱度弁ランプ３１が点灯する。
【００２４】
その後、床暖房リモコン１９は室温センサ１９ｂにより室温上昇を検出し、温度偏差（室温−設定温度）が−１．１５℃（ｄｅｇ）を超えると、マイクロコンピュータ４１に出力しているアナログ出力電圧を２０Ｖ（ボルト）から９Ｖの範囲で変化させる。そして、マイクロコンピュータ４１は床暖房リモコン１９から出力されるアナログ電圧値に応じて、前記熱動弁１１の通電時間をデューティ制御し、熱動弁１１の開時間を２０分ごとに２０分間（連続）から３分間に制御し、温水供給を断続的にＯＮ−ＯＦＦ（オン−オフ）してＡ室の室温を設定温度に維持する。
【００２５】
また、その他の床暖房パネル６、７、８に対応する床暖房リモコン２０、２１、２２の運転スイッチ２０ａ、２１ａ、２２ａをＯＮすると、マイクロコンピュータ４１からの信号により熱動弁１２、１３、１４がＯＮして開き、熱動弁１２、１３、１４に対応した熱動弁ランプ３２、３３、３４が点灯する。そして、使用する部屋（Ｂ室、Ｃ室、Ｄ室）の室温と設定温度とを比較演算した温度偏差信号がマイクロコンピュータ４１に出力され、対応する熱動弁１２、１３、１４のＯＮ−ＯＦＦ時間を各々制御して各Ｂ室、Ｃ室、Ｄ室の室温を制御する。
【００２６】
このように、各Ａ、Ｂ、Ｃ、Ｄ室に配置した床暖房リモコン１９、２０、２１、２２の出力する室温と設定温度との温度偏差により、熱動弁１１、１２、１３、１４の開閉時間を制御することにより、温水温度に関係なく各部屋の室温を設定温度に維持できる。
【００２７】
尚、温水ユニット３による暖房運転中には室内ユニット専用リモコン（図示せず）の操作により室外ユニット１から冷媒配管を介して冷媒が供給される室内側熱交換器と室内空気とが熱交換され、室内ユニット２は室内に温風供給して暖房運転が可能であるが、このときは冷房運転は不可（できない）としている。また、室内ユニット２の冷房運転中は温水ユニット３による暖房運転は不可とし、温水ユニット３による暖房運転中は室内ユニット２による冷房運転は不可としている。
【００２８】
また、メインリモコン１８により使用者が温水温度を変更設定しても、各部屋に設置している床暖房リモコン１９、２０、２１、２２が出力する偏差（室温−設定温度）信号に応じて、各床暖房パネル５、６、７、８へ温水を供給する熱動弁１１、１２、１３、１４の通電時間を可変制御することで、各部屋とも使用者が設定した室温に維持される。
【００２９】
なお、温水暖房装置に異常（エラー）が発生し、熱動弁１１〜１４が閉じて床暖房パネル５〜８による暖房運転が停止した際に、サービスマンが応急運転スイッチ４３を押すと、室外ユニット１、循環ポンプ９及び熱動弁１１〜１４が運転を開始し、床暖房運転が始まる。このため、異常が発生し床暖房パネル５〜８による暖房運転が停止した場合にも、応急の床暖房運転を行うことが可能になる。
【００３０】
以下、温水暖房装置について異常が発生し、それが例えば５つ発生したときの熱動弁ランプ３１〜３４によるエラー番号の表示について、図４のフローチャート及び図５の表示状態の推移の説明図に基づき説明する。
【００３１】
異常内容の確認のために、サービスマンが応急運転スイッチ４３及び熱動弁スイッチ４４を同時に所定時間、例えば３秒間連続して押したとき、熱動弁ランプ３１〜３４による退避エラー表示モードでないときには、退避エラー表示モードにセットされ、退避エラー表示モードに切り替わると共に、エラー表示番号がリセット、即ち後述するようなエラー番号を表示することがリセットされる。また、退避エラー表示モードのときには、一旦、退避エラー表示モードがクリアされる。なお、このように、応急運転スイッチ４３及び熱動弁スイッチ４４を同時に所定時間連続して押した場合には、各スイッチは退避エラー表示スイッチとして作用する。そして、マイクロコンピュータ４１は、熱動弁１１〜１４の起動電流が大きいため、熱動弁１１〜１４に例えば１秒毎に順次制御信号を出力し、熱動弁１１〜１４を順次ＯＮさせ、熱動弁１１〜１４への制御信号出力と同時に、熱動弁ランプ３１〜３４のＯＮ信号を出力し、熱動弁ランプ３１〜３４を対応する熱動弁１１〜１４のＯＮと同時に順次点灯させ、各熱動弁のＯＮ状態を表示させる。このため、やがて、熱動弁１１〜１４が全てＯＮし、熱動弁ランプ３１〜３４が全て点灯する。
【００３２】
次に、水張りスイッチ４２及び熱動弁スイッチ４４は、退避エラー表示モードにて、サービスマンが同時に所定時間押すことによりエラー表示を切り替えるエラー表示切替スイッチとして作用するスイッチであり、水張りスイッチ４２及び熱動弁スイッチ４４を、所定時間、例えば３秒間同時に押すと、まずマイクロコンピュータ４１により、退避エラー表示モード中か否かが判断される。
【００３３】
退避エラー表示モード中であると判断されると、マイクロコンピュータ４１は、熱動弁１１〜１４の起動電流が大きいため、熱動弁１１〜１４に例えば１秒毎に順次制御信号を出力し、熱動弁１１〜１４を順次ＯＮさせ、熱動弁１１〜１４への制御信号出力と同時に、熱動弁ランプ３１〜３４のＯＮ信号を出力し、熱動弁ランプ３１〜３４を対応する熱動弁１１〜１４のＯＮと同時に順次点灯させ、各熱動弁のＯＮ状態を表示させる。このため、やがて、熱動弁１１〜１４が全てＯＮし、熱動弁ランプ３１〜３４が全て点灯する。
【００３４】
次に、エラー表示番号を更新し、更新された表示データが最古の表示データ（この実施例においては、５番目が最も古い表示データ）に達したか否か、即ち表示された順番のエラー番号が最終（最古）の順番のエラー番号のものか否かが判断され、未だ達していないため、マイクロコンピュータ４１は表示番号をリセットし、退避エラー表示モードか否かを判断する。そして、退避エラー表示モードであるので、マイクロコンピュータ４１からの信号に基づき、運転ランプ４５が点滅する。この結果、サービスマンは運転ランプ４５の点滅により、温水暖房装置が退避エラー表示モードになったことを確認することができる。
【００３５】
また、熱動弁ランプ３１〜３４は、退避エラー表示モードにおいて、それぞれのランプの点灯及び消灯により、エラー番号を例えば二進法により表示するランプであり、マイクロコンピュータ４１からの表示信号に基づき、最新、即ち直近に発生した異常内容の番号であるエラー番号から順次過去のエラーにさかのぼり、水張りスイッチ４２及び熱動弁スイッチ４４の多重押しによるエラー表示切替毎に順番に熱動弁ランプ３１〜３４がエラー番号を表示する。
【００３６】
即ち、退避エラー表示モードであるので、前述の如く、運転ランプ４５が点滅すると共に図５の左端に示したランプ表示のように、マイクロコンピュータ４１はＥＥＰＲＯＭ４８に格納された異常内容に関するデータ（例えば、直近の最大１０個格納される）に基づいて、まず４個横に並んだ熱動弁ランプ３１、３２、３３、３４のうち、例えば二進法で４を表す右から３番目である３桁目の熱動弁ランプ３２のみ点灯を継続させて（他を消灯）、最新に発生した異常内容を表すエラー番号（Ａ４）である「４」が表示され、サービスマンはその異常の内容を理解することができる。
【００３７】
なお、退避エラー表示モードでない場合には、通常表示にセットされ、熱動弁ランプ３１〜３４は、熱動弁１１〜１４のＯＮ、ＯＦＦと共に点灯、消灯するようにマイクロコンピュータ４１に制御される。
【００３８】
上記のように、熱動弁ランプ３２が点灯し、最新のエラーであるエラー番号（Ａ４）が表示された後には、表示されているエラー番号が最新のエラー番号か否かがマイクロコンピュータ４１により判断され、このときは最新のエラー内容を表すエラー番号が表示されているため、マイクロコンピュータ４１は、水張りランプ４２に信号を出力して点灯させる。従って、水張りランプ４２が点灯している状態を見て、サービスマンは熱動弁ランプ３２の点灯により認識したエラー番号が最新のエラーに関するエラー番号であることを確認することができる。また、水張り運転時に点灯する水張りランプ４２を最新の異常内容の表示に兼用し、ランプの増加を抑えることが可能になると共に、メイン基板Ｋの面積の増加を抑えることも可能になる。
【００３９】
次に、再びサービスマンが水張りスイッチ４２及び熱動弁スイッチ４４を同時に所定時間押し、エラー表示切替スイッチとして動作させると、マイクロコンピュータ４１が退避エラー表示モード中であると判断すれば、熱動弁１１〜１４を順次ＯＮさせると共に熱動弁ランプ３１〜３４を順次点灯させて、熱動弁１１〜１４を全てＯＮさせ、熱動弁ランプ３１〜３４を全て点灯させ、表示順はエラーの発生時刻が最新のエラーよりすぐ前のエラーである二番目のものに更新される。そして、マイクロコンピュータ４１により更新された表示データが最古の表示データ（この実施例においては、５番目が最も古い表示データ）に達したか否か、即ち表示された順番のエラー番号が最終（最古）の順番のエラー番号のものか否かが判断され、未だ達していないため、エラー表示番号があると判断され、また退避エラー表示モードと判断されると運転ランプ４５を点滅させると共に更新された２番目に古い順番のエラーに係るエラー内容をＥＥＰＲＯＭ４８から読み出して、二進法で２を表す右から２番目である２桁目の熱動弁ランプ３３の点灯を維持させると共に他の点灯していた熱動弁ランプを消灯させ、２番目に新しいエラー内容の番号であるエラー番号（Ａ２）である「２」を表示させ、サービスマンはその異常の内容を理解することができる。
【００４０】
以後同様に、サービスマンが水張りスイッチ４２及び熱動弁スイッチ４４を同時に所定時間押し、エラー表示切替スイッチとして動作させる毎に、表示するエラーの順番が最近から３番目、４番目と１ずつ増加し更新される。そして、更新される度に異常内容を表すエラー番号が順次熱弁ランプにより表示される。即ち、二進法で２を表す右から２番目である２桁目の熱動弁ランプ３３と二進法で４を表す右から３番目である３桁目の熱動弁ランプ３２の点灯を維持すると共に他の熱動弁ランプを消灯し、３番目に新しいエラー内容であるエラー番号（Ａ６）の「６」が表示され、次にエラー表示切替がされると二進法で４を表す右から３番目である３桁目の熱動弁ランプ３２のみの点灯が維持されると共に他の熱動弁ランプが消灯され、４番目に新しいエラー内容であるエラーバ合（Ａ４）として再び「４」が表示される。
【００４１】
次に、サービスマンが水張りスイッチ４２及び熱動弁スイッチ４４を同時に所定時間押すと、エラー番号表示中であり、表示するエラー内容の順番が最古のもの（５番目）に更新される。そして、マイクロコンピュータ４１は更新された５番目に新しい（最も古い）順番のエラーに係るエラー内容をＥＥＰＲＯＭ４８から読み出して、二進法で８、４及び１を表す熱動弁ランプ３１、３２、３４の点灯を維持させる共に他の熱動弁ランプを消灯させ、最も古いエラー内容であるエラー番号（Ａ１３）の「１３」が表示される。
【００４２】
更に、サービスマンが水張りスイッチ４２及び熱動弁スイッチ４４を同時に所定時間押すと、エラー番号表示中であり、表示するエラー内容の順番が６番目のものに更新される。そして、この６番目という順番は最終（最古）の順番である５番目より大きいため、マイクロコンピュータ４１は表示順番を最初の順番、即ち１番目にリセットする。このように、順番がリセットされると、図５に矢印に示したように、最初の表示に再び戻る。即ち、３桁目の熱動弁ランプ３２のみが点灯し、最新のエラー内容であるエラー番号（Ａ４）である「４」が表示され、また、最新のエラー番号が表示されているため、マイクロコンピュータ４１は水張りランプ４２に点灯信号を出力して点灯させる。
【００４３】
このように、サービスマンが水張りスイッチ４２及び熱動弁スイッチ４４を同時に所定時間押すと、順次熱動弁ランプ３１、３２、３３、３４が最新のエラー内容から過去に発生したエラーにさかのぼり順次、点灯、消灯し、エラー番号を表示するため、サービスマンは熱動弁ランプ３１、３２、３３、３４の点灯、消灯状態を確認することにより、過去に発生したエラー内容を容易に確認することができる。また、従来のように、エラー番号の表示のために７セグメントの表示器を設ける必要がなくなり、コストの低減を図ることができ、また、メイン基板Ｋの面積も削減することができ、一層コストを削減することができる。
【００４４】
また、上記のようにエラー番号の表示を最近のエラー番号の表示、続いてその次に古いエラー番号の表示に順次さかのぼって表示するように制御し、再び最近のエラー番号表示に戻るような循環の表示切替とした場合に、サービスマンはどのエラー番号の表示が最近のエラー番号の表示が判断できなくなる虞があるが、最新のエラー番号が表示されているときには、マイクロコンピュータ４１は水張りランプ４２に点灯信号を出力して点灯させるため、サービスマンは最新のエラー番号が表示されていることを視覚的に確認することができ、メンテナンス性を向上させることができる。
【００４５】
更に、起動電流が大きくて同時起動できない熱動弁の特性上、熱動弁スイッチ４４の操作された際に同時起動させずに順次起動させるようにして、この起動に伴って点灯する熱動弁ランプをエラー番号の表示に使用したので、エラー番号を表示するときに、熱動弁の起動時の各熱動弁ランプの点灯状態と区別してエラー番号を判断することができ、一層メンテナンス性を向上することができる。
【００４６】
また、上記実施の形態において、４個の熱動弁ランプ３１、３２、３３、３４により最新のエラー番号から５番目のエラー番号まで表示したが、本実施形態では最大１６種のエラー番号を表示することができる。
【００４７】
また、上記実施の形態において、４個の熱動弁ランプ３１、３２、３３、３４の点灯と消灯の２通りの状態により、エラー番号を二進法により表示することにより、サービスマンは点灯しているか否かにより、容易に点灯状態を判断することが可能であるが、４個の熱動弁ランプ３１、３２、３３、３４の点灯と点滅と、消灯との３通りの状態の組み合わせにより、例えば三進法により更に多くのエラー番号を表示することも可能である。
【００４８】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００４９】
【図１】ヒートポンプ式温水暖房装置の全体系統図である。
【図２】メイン基板の電気配線図である。
【図３】制御装置のブロック図である。
【図４】退避エラー表示処理のフローチャートである。
【図５】表示状態の推移の説明図である。
【符号の説明】
【００５０】
１                室外ユニット
３                温水ユニット
４                熱交換器
５〜８            床暖房パネル
９                循環ポンプ
１１〜１４        熱動弁
３１〜３４        熱動弁ランプ
４１              マイクロコンピュータ
４８              ＥＥＰＲＯＭ
【図１】
2006153385.tif 000003
【図２】
2006153385.tif 000004
【図３】
2006153385.tif 000005
【図４】
2006153385.tif 000006
【図５】
2006153385.tif 000007